(57)【要約】      （修正有）【課題】製造及び流通過程での破損を防止し、かつ内容物の取り出しが容易な外装箱を提供する。【解決手段】直方体の外装箱１は、底面部１１、フラップ部３０、及び側面部２０を有し、フラップ部３０には、第１破断線部４１が形成され、側面部２０には、第２破断線部４２及び第３破断線部４３が形成される。第２破断線部に第１破断線部が連なり、第２破断線部の先端４２ａは、側面部の下縁２１３よりも上縁２１４側（高さＨ１）でかつ側面部の中央よりも第１側縁２１１側に位置し、第３破断線部は、先端４２ａに略一致する基端から第１側縁側の方向に延びる。側面部は第２側縁２１２側の裏面に接着面を有する。【選択図】図１
0003199610.tif 000002
【実用新案登録請求の範囲】
【請求項１】
直方体の外装箱（１）であって、その構成は、
底面部（１１）、
フラップ部（３０）、及び
側面部（２０）であって、その下縁（２１３）に接しているのが前記底面部（１１）であり、その上縁（２１４）に接しているのが前記フラップ部（３０）であるもの、において、
前記フラップ部（３０）に形成されているのは、第１破断線部（４１）であり、
当該第１破断線部（４１）は、前記フラップ部（３０）の上縁（３１４）から形成され、
当該第１破断線部（４１）と略垂直をなすのは、前記側面部（２０）の上縁（２１４）であり、
前記側面部（２０）に形成されているのは、第２破断線部（４２）及び第３破断線部（４３）であり、
前記第２破断線部（４２）に連なっているのは、前記第１破断線部（４１）であり、
前記第２破断線部（４２）の先端（４２ａ）が位置するのは、前記側面部（２０）の下縁（２１３）よりも上縁（２１４）側であり、かつ、前記側面部（２０）の中央よりも第１側縁側（２１１）であり、
前記第３破断線部（４３）の基端と略一致するのは、前記第２破断線部（４２）の先端（４２ａ）であり、
前記第３破断線部（４３）が延びる方向は、前記基端から前記側面部（２０）の第１側縁側（２１１）であり、
前記側面部（２０）が第２側縁側（２１２）の裏面に有するのは、接着面である、
もの。
【請求項２】
請求項１の外装箱（１）において、
前記フラップ部（３０）を引き倒すことで、前記第１破断線部（４１）から前記第２破断線部（４２）までが破断されると共に、前記接着面から前記側面部（２０）が引き剥がされ、
さらに第３破断線部（４３）が破断されることで、前記側面部（２０）の引き剥がされていない部分が前記第１側縁（２１１）側に開放される、
もの。
【請求項３】
請求項１又は２の外装箱において、
前記接着面に接着するのは、前記側面部（２０）に隣り合う側面部ののりしろ部（２２０）である、
もの。
【請求項４】
請求項１乃至３の何れかの外装箱において、
前記フラップ部（３０）の前記第１破断線部（４１）よりも第２側縁部（３１２）側に形成されているのは、取っ手部（５０）である、
もの。
【請求項５】
請求項４の外装箱において、
前記フラップ部（３０）の第１側縁（３１１）から前記第１破断線部（４１）までの長さは、５５ｍｍ以上であり、
前記取っ手部（５０）における当該第１側縁（３１１）側の端部から前記第１破断線部（４１）までの長さは、３５ｍｍ以上である、
もの。
【請求項６】
請求項１乃至５の何れかの外装箱において、
前記側面部（２０）の下縁（２１３）から前記第２破断線部（４２）の先端（４２ａ）までの長さは、２０ｍｍ以上４５ｍｍ以下である、
もの。
【請求項７】
請求項１乃至６の何れかの外装箱において、
前記フラップ部（３０）における前記第１側縁（３１１）側の高さは、他のフラップ部の高さよりも低い、もの。
【請求項８】
請求項１乃至７の何れかの外装箱において、
前記フラップ部（３０）の上縁（３１４）から前記取っ手部（５０）の上端部までの長さは、３０ｍｍ〜４０ｍｍである、
もの。
【請求項９】
請求項１乃至８の何れかの外装箱において、
前記側面部（２０）における前記第２破断線部（４２）よりも前記第２側縁（２１２）側には、外装箱の破断方法を示す表示部（６０）が設けられる、
もの。
【考案の詳細な説明】
【技術分野】
【０００１】
本考案は、外装箱に関し、詳細には、包装された内容物を収容する外装箱に関する。
【背景技術】
【０００２】
従来、商品等の内容物を箱に収容して流通させる際に、上部が開口した外装箱が広く利用されている。外装箱には、所定単位の物品が包装された包装体や、あるいは物品自体等の内容物を、外装箱の内容量一杯に収容することがある。この場合、外装箱を開けると、内容物が外装箱の内壁面に密着し、また隙間なく収容されているため、内容物を取り出すことが困難である。具体的には、外装箱を逆さにしたり、外装箱の側面を破り取ったりする必要があり、内容物の取り出しに非常な労力が必要となる。
【０００３】
そこで、外装箱に破断線を形成し、外装箱を破断線に沿って破ることで、内容物の取り出しを容易にすることが知られている（例えば、特許文献１参照）。
【先行技術文献】
【特許文献】
【０００４】
【特許文献１】登録実用新案第３０５８５５２号公報
【考案の概要】
【考案が解決しようとする課題】
【０００５】
しかしながら、特許文献１に記載の外装箱には、破断線が外装箱の底面に到達するまで形成されており、また、外装箱の四隅の近傍に破断線が設けられている。箱の底面や四隅の近傍は、製造及び流通過程で特に外部から力が加わりやすい部分であるため、外装箱の強度に懸念が生じることがあった。このため、外装箱に力が加わっても、破断線が意図せずに破断しないよう強度を確保し、かつ内容物の取り出しを容易にすることのできる外装箱が求められている。
【０００６】
従って、本考案は、製造及び流通過程での破損を防止し、かつ内容物の取り出しが容易な外装箱を提供することを目的とする。
【課題を解決するための手段】
【０００７】
（１）  本考案は、直方体の外装箱（１）であって、その構成は、底面部（１１）、フラップ部（３０）、及び側面部（２０）であって、その下縁（２１３）に接しているのが前記底面部（１１）であり、その上縁（２１４）に接しているのが前記フラップ部（３０）であるもの、において、前記フラップ部（３０）に形成されているのは、第１破断線部（４１）であり、当該第１破断線部（４１）は、前記フラップ部（３０）の上縁（３１４）から形成され、当該第１破断線部（４１）と略垂直をなすのは、前記側面部（２０）の上縁（２１４）であり、前記側面部（２０）に形成されているのは、第２破断線部（４２）及び第３破断線部（４３）であり、前記第２破断線部（４２）に連なっているのは、前記第１破断線部（４１）であり、前記第２破断線部（４２）の先端（４２ａ）が位置するのは、前記側面部（２０）の下縁（２１３）よりも上縁（２１４）側であり、かつ、前記側面部（２０）の中央よりも第１側縁側（２１１）であり、前記第３破断線部（４３）の基端と略一致するのは、前記第２破断線部（４２）の先端（４２ａ）であり、前記第３破断線部（４３）が延びる方向は、前記基端から前記側面部（２０）の第１側縁側（２１１）であり、前記側面部（２０）が第２側縁側（２１２）の裏面に有するのは、接着面である、ものを提供する。
【０００８】
（２）  前記フラップ部（３０）を引き倒すことで、前記第１破断線部（４１）から前記第２破断線部（４２）までが破断されると共に、前記接着面から前記側面部（２０）が引き剥がされ、さらに第３破断線部（４３）が破断されることで、前記側面部（２０）の引き剥がされていない部分が前記第１側縁（２１１）側に開放される、ことが好ましい。
【０００９】
（３）  前記接着面に接着するのは、前記側面部（２０）に隣り合う側面部ののりしろ部（２２０）である、ことが好ましい。
【００１０】
（４）  前記フラップ部（３０）の前記第１破断線部（４１）よりも第２側縁部（３１２）側に形成されているのは、取っ手部（５０）であることが好ましい。
【００１１】
（５）  前記フラップ部（３０）の第１側縁（３１１）から前記第１破断線部（４１）までの長さは、５５ｍｍ以上であり、前記取っ手部（５０）における当該第１側縁（３１１）側の端部から前記第１破断線部（４１）までの長さは、３５ｍｍ以上である、
ことが好ましい。
【００１２】
（６）  前記側面部（２０）の下縁（２１３）から前記第２破断線部（４２）の先端（４２ａ）までの長さは、２０ｍｍ以上４５ｍｍ以下である、ことが好ましい。
【００１３】
（７）  前記フラップ部（３０）における前記第１側縁（３１１）側の高さは、他のフラップ部の高さよりも低い、ことが好ましい。
【００１４】
（８）  前記フラップ部（３０）の上縁（３１４）から前記取っ手部（５０）の上端部までの長さは、３０ｍｍ〜４０ｍｍである、ことが好ましい。
【００１５】
（９）  前記側面部（２０）における前記第２破断線部（４２）よりも前記第２側縁（２１２）側には、外装箱の破断方法を示す表示部（６０）が設けられる、ことが好ましい。
【考案の効果】
【００１６】
本考案によれば、製造及び流通過程での破損を防止し、かつ内容物の取り出しが容易な外装箱が提供される。
【図面の簡単な説明】
【００１７】
【図１】本考案の第１実施形態に係る外装箱を示す斜視図であり、フラップ部を開いた状態を示す図である。
【図２】第１実施形態に係る外装箱を示す展開図である。
【図３】第１実施形態に係る外装箱を示す正面図であり、外装箱を図１の矢印Ａ方向に視た図である。
【図４】図４（ａ）及び（ｂ）は、第１実施形態に係る外装箱の第１破断線部及び第２破断線部を破断する手順を説明する図である。
【図５】図５（ａ）及び（ｂ）は、第１実施形態に係る外装箱の第３破断線部を破断し、内容物を取り出すまでの手順を説明する図である。
【図６】本考案の第２実施形態に係る外装箱を示す展開図である。
【考案を実施するための形態】
【００１８】
以下、本考案の第１実施形態について、図面を参照しながら詳しく説明する。
図１は、第１実施形態に係る外装箱１の斜視図である。図２は、第１実施形態に係る外装箱１の展開図である。
図１に示すように、外装箱１は、略直方体であり、その構成は、底面部１１と、上部開口部１２と、側面部２０と、フラップ部としての開口側フラップ部３０と、表示部６０と、を有する。本考案の外装箱１は、破断を容易にすることで内部に収容した包装体１０等の内容物の取り出しを容易にするダンボール箱であり、側面部２０と開口側フラップ部３０の構成に特徴を有する。
第１実施形態の外装箱１は、図２に示すように、一枚の矩形状のダンボールの所定箇所に複数の切り込みを形成すると共に所定箇所で折り曲げることで組み立てられる。
【００１９】
外装箱１の寸法は、内容物に応じて適宜変更されるが、第１実施形態では、幅方向ＷＤが２８０ｍｍ〜２９０ｍｍ、長手方向ＬＤが３３０〜３５５ｍｍ、高さ方向ＨＤが１１０〜１４０ｍｍを例示できる。
【００２０】
底面部１１は、矩形状であり、外装箱１の下面を構成する。底面部１１は、製造や運搬時に、床や運搬器具等に接する面である。第１実施形態では、底面部１１は、図１及び図２に示すように、四枚の底面側フラップ部１１１，１１２，１１３，１１４が外装箱１の内側へ向かって折り込まれることにより構成される。
上部開口部１２は、底面部１１に対向する位置に配置される。
【００２１】
図１及び図２に示すように、側面部２０は、外装箱１の側面を構成する板面であり、各板面は長方形である。側面部２０は、外装箱の短辺側に配置される第１側面部２１及び第３側面部２３と、長辺側に配置される第２側面部２２、第４側面部２４と、を有する。側面部２０は、組み立てた状態で底面部１１の四縁から起立する。
【００２２】
第１側面部２１は、高さ方向ＨＤに延びる第１側縁２１１と、第１側縁２１１に対向する位置で高さ方向ＨＤに延びる第２側縁２１２と、下側で短手方向に延び、底面部１１が接している下縁２１３と、上側（上部開口部１２側）で下縁２１３に対向して延びる上縁２１４と、を有する。なお、第１側面部２１は、破断を容易にする第２破断線部４２及び第３破断線部４３と、外装箱１の破断方法を示す表示部６０とを有しているが、これらについては後に詳述する。
【００２３】
図１に示すように、第１側面部２１は、外装箱１に組み立てた状態では、第２側縁２１２側で第２側面部２２に隣り合って配置され、接着される。
詳細には、図１及び図２に示すように、第２側面部２２は、組み立てた状態で第１側縁２１１側に位置する側縁（図２における第２側面部２２の左側縁）から延出するのりしろ部２２０を有する。また、第１側面部２１は、第２側縁２１２側の裏面に、接着面を有し、のりしろ部２２０が接着面に接着されることで、第１側面部２１に隣り合う第２側面部２２に接合される。
【００２４】
開口側フラップ部３０は、第１側面部２１〜第４側面部２４の上縁２１４に接し、上縁２１４からそれぞれ延びて形成される。開口側フラップ部３０は、第１側面部２１〜第４側面部２４それぞれの上縁２１４から延出する第１フラップ部３１、第２フラップ部３２、第３フラップ部３３、第４フラップ部３４を有する。第１フラップ部３１〜第４フラップ部３４は、外装箱１の内側へ向かって折り込まれることで、上部開口部１２を閉じることができる。
図２に示すように、第１フラップ部３１〜第４フラップ部３４及び四枚の底面側フラップ部１１１，１１２，１１３，１１４は、隣接するフラップ部との間に小さな隙間を介して離間しており、側面部２０の上縁２１４又は下縁２１３とのみ連続している。
【００２５】
図３は、第１実施形態に係る外装箱１の正面図であり、図１の矢印Ａ方向から視た図である。図３に示すように、第１フラップ部３１は、第１側面部２１の第１側縁２１１に連続するように延びる第１側縁３１１と、第１側縁３１１に対向する位置で第１側面部２１の第２側縁２１２に連続するように延びる第２側縁３１２と、を有し、上辺側の一部が切り欠かれるように形成されている。第１フラップ部３１における第１側縁３１１側の高さＨ３は、第２側縁３１２側の高さＨ４及び他の第２フラップ部３２〜第４フラップ部３４の高さよりも低く形成されている。高さＨ３としては、９０ｍｍ〜１００ｍｍを例示でき、高さＨ４としては、１４０ｍｍ〜１５０ｍｍを例示できる。
【００２６】
第１フラップ部３１には、第１破断線部４１と、取っ手部５０と、が形成されている。
第１破断線部４１は、第１フラップ部３１の幅方向ＷＤにおける中央部よりも第１側縁３１１側において、第１側縁３１１に平行に上縁３１４から下方（第１側面部２１側）に延びる破断線である。第１破断線部４１と第１側面部２１の上縁２１４とは、略垂直をなしている。第１破断線部４１は、第１フラップ部３１を厚さ方向に貫通する切込みと、非切込みとが交互に連続するミシン目により構成される。第１破断線部４１は、第１側縁３１１から第１フラップ部３１の幅方向ＷＤの長さＷ１が５５ｍｍ以上の位置に設けられる。また、第１破断線部４１は、取っ手部５０の第１側縁３１１側の端部から幅方向ＷＤの長さＷ２が３５ｍｍ以上の位置に設けられる。
【００２７】
取っ手部５０は、第１フラップ部３１の幅方向ＷＤにおける第１破断線部４１よりも第２側縁２１２側に形成される。第１実施形態では、取っ手部５０は、第１フラップ部３１の高さが高さＨ３の位置に形成される。取っ手部５０は、第１フラップ部３１の幅方向ＷＤに長径方向が沿う長円形状を有し、第１フラップ部３１を厚さ方向に切り抜いて形成されている。取っ手部５０は、上端縁の位置が、第１フラップ部３１の上端（高さＨ３の部分）から下方に３０ｍｍ以上４０ｍｍ以下の位置、好ましくは上端から３５ｍｍ程度の位置に配置される。言い換えれば、取っ手部５０の上端から第１フラップ部３１の上縁３１４までの高さＨ２は、３０ｍｍ以上４０ｍｍ以下となっている。
【００２８】
第２破断線部４２は、上述の通り、第１側面部２１に形成される。第２破断線部４２は第１破断線部４１から連なって第１側面部２１の下方（底面部１１側）に直線状に延びる。第２破断線部４２は、第１破断線部４１と同様のミシン目で構成される。第２破断線部４２は、第１側面部２１の幅方向ＷＤ中央よりも第１側縁２１１側に形成され、その先端４２ａは、第１側面部２１の下縁２１３よりも上縁２１４側（第１高さＨ１）に位置している。第１側面部２１の下縁２１３から第２破断線部４２の先端４２ａまでの長さ（第１高さＨ１）は、２０ｍｍ以上４５ｍｍ以下であることが好ましい。
【００２９】
第３破断線部４３は、上述の通り、第１側面部２１に形成される。第３破断線部４３は、底面部１１から第１高さＨ１の位置において、第２破断線部４２の先端４２ａを基端として、第１側縁２１１側へ向かって第１側面部２１の幅方向ＷＤに延びる。すなわち、第
３破断線部４３の基端は、第２破断線部４２の先端４２ａと略一致している。第３破断線部４３は、第１破断線部４１と同様のミシン目で構成される。
【００３０】
表示部６０は、第１表示部６１と、第２表示部６２と、を有する。
第１表示部６１は、図１〜図３に示すように、第１側面部２１における第２破断線部４２よりも第２側縁２１２側に設けられている。第１表示部６１は、外装箱１の使用手順、とりわけ第１破断線部４１〜第３破断線部４３を破断して第１側面部２１を手前に引き倒す手順を印刷により第１側面部２１に表示したものである。
第２表示部６２は、第１フラップ部３１の上端における第１破断線部４１よりも第１側縁３１１側に設けられ、使用者が第１破断線部４１を破断する場合に手で押さえる位置を示す。
【００３１】
図４（ａ）及び（ｂ）は、第１破断線部４１及び第２破断線部４２を破断する手順を説明する図である。図５（ａ）及び（ｂ）は、第３破断線部４３を破断し、内容物を取り出すまでの手順を説明する図である。図１〜図５（ｂ）を参照して、第１実施形態に係る外装箱１の使用手順を説明する。
【００３２】
図１に示すように、第１実施形態における外装箱１は、内部に箱状の包装体１０を収容するものであり、包装体１０と外装箱１との間にはほぼ隙間がない状態で密着している。このため、外装箱１の第１フラップ部３１〜第４フラップ部３４を開くと、そのままでは包装体１０が取り出せない状態である。
【００３３】
まず、図１及び図４（ａ）に示すように、第２表示部６２が付されている部分、すなわち第１フラップ部３１の上端であって、第１破断線部４１の第１側縁３１１側を一方の手で掴み、他方の手で取っ手部５０に手を挿入し、取っ手部５０と第１フラップ部３１の上辺側を握る。続いて、第１破断線部４１の第１側縁３１１側を掴んだままで、取っ手部５０を手前に引き倒し、第１破断線部４１を破断させる。
【００３４】
次に、図４（ｂ）に示すように、第１破断線部４１の第１側縁３１１側を掴んだままで、さらに取っ手部５０を手前に引き倒すと、第１側面部２１における第１破断線部４１に連続する第２破断線部４２が破断される。このように、第１フラップ部３１を手前に引き倒すことで、第１破断線部４１から第２破断線部４２までが破断される。
なお、第１側面部２１の第２側縁２１２側で、裏面側に位置する接着面は、第２側面部２２ののりしろ部２２０に接着されているため、接着した部分が剥離されることで第１側面部２１が引き剥がされる。
【００３５】
次に、図５（ａ）に示すように、第２破断線部４２を破った後、第１側縁２１１側に残った部分をさらに第１側縁２１１側へ引っ張ることで、第３破断線部４３を破断する。これにより、図５（ａ）及び図５（ｂ）に示すように、第１フラップ部３１の第１破断線部４１よりも第１側縁３１１側、及び第１側面部２１の第２破断線部４２よりも第１側縁２１１側（第１側面部２１の引き剥がされていない部分）が第１側縁２１１側に開放され、第１側面部２１の幅方向ＷＤが全体的に開く。
【００３６】
これにより、図５（ｂ）に示すように、包装体１０の左右と外装箱１との間に手を入れやすくなり、内部に収容した包装体１０を容易に取り出すことができる。
【００３７】
なお、第３破断線部４３は、底面部１１よりも第１高さＨ１上方に位置しているので、開封前の状態においては、第２破断線部４２及び第３破断線部４３のいずれも底面部１１に接していない。
【００３８】
以上説明した第１実施形態の外装箱によれば、以下のような効果を奏する。
（１）  底面部１１、フラップ部３０、及び側面部２０により構成される外装箱１であって、側面部２０の下縁２１３に接しているのが底面部１１であり、側面部２０の上縁２１４に接しているのがフラップ部３０である外装箱１において、第１破断線部４１をフラップ部３０の第１フラップ部３１から形成し、第１破断線部４１を側面部２０における第１側面部２１の上縁２１４に略垂直に配置した。
また、第１側面部２１に、第２破断線部４２及び第３破断線部４３を形成し、第２破断線部４２が第１破断線部４１に連なるように配置し、第２破断線部４２の先端４２ａを、第１側面部２１の下縁２１３よりも上縁２１４側であり、かつ、第１側面部２１の中央よりも第１側縁２１１側に配置した。
また、第３破断線部４３の基端と第２破断線部４２の先端とを略一致させ、この基端から第１側面部２１の第１側縁２１１側に延びるように形成した。
また、第１側面部２１が、第２側縁２１２側の裏面に接着面を有するように構成した。
【００３９】
これにより、第１フラップ部３１の、第１破断線部４１の第１側縁３１１側を押さえた状態で、第１破断線部４１の第２側縁３１２側を掴み、手前に引き倒すことで、第１破断線部４１及び第２破断線部４２が破断される。このとき、第１側面部２１の第２側縁２１２側は、隣接する第２側面部２２と接着されているので、破断前においては、破断線部が設けられてないことで外装箱１の強度が十分に保たれている。一方、第１側面部２１と第２側面部２２とが接着により接合されていることから、第２破断線部４２の破断時には、第１破断線部４１及び第２破断線部４２が第１側縁３１１、２１１側のみに配置され、第２側縁２１２側に破断線が設けられていなくても、第２側縁２１２側も容易に剥がすことができる。
また、第３破断線部４３の基端は、第２破断線部４２の先端４２ａと略一致しており、第２破断線部４２の先端４２ａは、第１側面部２１の下縁２１３よりも上縁２１４側に形成されている。このため、力が加わりやすく、破損しやすい底面部１１と破断線が連続していないので、外装箱１の強度を向上させたまま、開封を容易にすることができる。
【００４０】
（２）  また、第１実施形態によれば、第１フラップ部３１を引き倒すことで、第１破断線部４１から第２破断線部４２までが破断されると共に、接着面から第１側面部２１が引き剥がされ、第３破断線部４３が破断されることで、第１フラップ部３１の第１破断線部４１よりも第１側縁３１１側及び第１側面部２１の第２破断線部４２よりも第１側縁２１１側が第１側縁２１１側に開放されるよう構成した。
これにより、外装箱１の第１側面部２１における幅方向ＷＤの全体が開放されることとなるため、内容物である包装体１０を取り出しやすい。
【００４１】
（３）  また、第１実施形態によれば、第１側面部２１に隣り合う第２側面部２２ののりしろ部２２０に、接着面を接着させた。
これにより、第１側面部２１の裏面がのりしろ部２２０の外側に配置された状態で接着されているので、第１側面部２１を手前に倒すことで、剥がれやすい。
【００４２】
（４）  また、第１実施形態によれば、第１フラップ部３１の第１破断線部４１よりも第２側縁３１２側に、取っ手部（５０）を形成した。
これにより、取っ手部５０に手を挿入して、取っ手部５０の上端から第１フラップ部３１の上縁３１４を掴むことができるので、第１フラップ部３１を手前に引き倒しやすい。
【００４３】
（５）  また、第１実施形態によれば、第１フラップ部３１の第１側縁３１１から第１破断線部４１までの長さＷ１を、５５ｍｍ以上とし、取っ手部５０における当該第１側縁３１１側の端部から第１破断線部４１までの長さＷ２を、３５ｍｍ以上とした。
長さＷ１が５５ｍｍ以上であると、第１破断線部４１の第１側縁３１１側を掴みやすい。また、第１破断線部４１から下方へ直線状に延びて連続する第２破断線部４２が、外装箱１の四隅の一角である角部から幅方向ＷＤ内側へ５５ｍｍ以上の位置に設けられることとなるので、第２破断線部４２が外部からの衝撃を受けやすい角部から離れる。このため、第２破断線部４２を設けても、外装箱の強度を低下しにくくできる。
また、長さＷ２が３５ｍｍ以上であると、第１破断線部４１を破断するときに、取っ手部５０を第１破断線部４１側に破れにくくすることができる。さらに、長さＷ２が３５ｍｍ以上であるため、第１破断線部４１を破断し、続いて第２破断線部４２を破断すると、第１フラップ部３１を手前に引き倒す力が第１側面部２１の第２側縁２１２側にも十分に及び、第２破断線部４２を破断して第１側面部２１を開けやすくすることができる。
【００４４】
（６）  また、第１実施形態によれば、第１側面部２１の下縁２１３から第２破断線部４２の先端４２ａまでの長さ（第１高さＨ１）を、２０ｍｍ以上４５ｍｍ以下とした。
これにより、底面部１１に加わりやすい衝撃によって、第３破断線部４３及び第２破断部の下端側が、より破断しにくくなる。また、第１高さＨ１がこの範囲であるため、外装箱１の内部に収容した包装体１０を容易に取り出すことができる。
【００４５】
（７）  また、第１実施形態によれば、第１フラップ部３１における第１側縁３１１側の高さを、他のフラップ部の高さよりも低く構成した。
これにより、第１破断線部４１の距離が短くなるため、破断が容易になる。
【００４６】
（８）  また、第１実施形態によれば、第１フラップ部３１の上縁３１４から取っ手部５０の上端部までの長さを、３０ｍｍ〜４０ｍｍとした。
これにより、取っ手部５０が握りやすくなる。また、取っ手部５０を第１フラップ部３１の上端側に破れにくく構成することができる。
【００４７】
（９）  また、第１実施形態によれば、第１側面部２１における第２破断線部４２よりも第２側縁２１２側に、外装箱の破断方法を示す第１表示部６１を設けた。
これにより、外装箱１を開封する使用者が、第１表示部６１を参照して容易に開封することができる。
【００４８】
図６は、本考案の第２実施形態に係る外装箱１Ａの展開図を示す。
第２実施形態では、缶詰やジュース等を箱詰めにした包装体１０Ａ（図示せず）を、上下２段に重ねて収容可能な外装箱１Ａが提供される。
このため、外装箱１Ａは、第１側面部２１の高さ寸法が第１実施形態の場合よりも高くなる。高さ方向ＨＤとしては、２１０〜２６０ｍｍを例示できる。
他の構成及び効果については、第１実施形態と同様である。
【００４９】
以上、本発明の外装箱の好ましい各実施形態につき説明したが、本発明は、上述の実施形態に制限されるものではなく、適宜変更が可能である。
例えば、上記実施形態では、取っ手部５０は第１フラップ部３１を厚さ方向に長円形に切り抜いて形成したが、これに限られない。例えば、第１フラップ部３１と連続する部分を一部残すと共に、他の部分に破断線を形成し、取っ手部の使用時に破断線を破断して取っ手部を形成するように構成してもよい。
【００５０】
また、第１及び第２実施形態では、複数の缶を包装した包装体１０を一段又は二段重ねたものを外装箱１内に収容したが、これに限られない。内容物の種類は外装箱に収容可能であれば問わず、また、包装されずに直に収容されていてもよい。
【００５１】
また、第１及び第２実施形態では、のりしろ部２２０は、第２側面部２２における第１側面部２１と接する側に設けられているが、これに限られない。例えば、のりしろ部は、第１側面部２１における第２側縁２１２側に配置されていてもよい。
【符号の説明】
【００５２】
１    外装箱
１１  底面部
２０  側面部
３０  フラップ部
４１  第１破断線部
４２  第２破断線部
４２ａ  先端
４３  第３破断線部
５０  取っ手部
６０  表示部
２２０  のりしろ部
２１１、３１１  第１側縁
２１２、３１２  第２側縁
２１３  下縁
２１４  上縁
３１４  上縁
【図１】
0003199610.tif 000003
【図２】
0003199610.tif 000004
【図３】
0003199610.tif 000005
【図４】
0003199610.tif 000006
【図５】
0003199610.tif 000007
【図６】
0003199610.tif 000008